(57)【要約】【課題】  ワゴンの内部又は内側に、機器類などを載せたり下したり、或は、収容したり取出したりする作業を効率よく行うことを可能であることは勿論、ワゴン内部に収納されていたパソコン本体をワゴン天板上に移動させるときもその結線を解かずに移動できるようにしたワゴンを提供すること。【解決手段】  実験台などの天板下に収まる高さでワゴン天板を備え、内部がタワー形のパソコン本体を収容できる大きさを有するワゴンにおいて、そのワゴンのフレーム１が平面略矩形状をなし、かつ、少なくとも底板２とキャスタ1dと天板支持フレーム1b，1cを備えたワゴンフレーム１に、左右の側面板８，９及び前後面板７，10の少なくとも一つを着脱自在に取付けたこと。【選択図】図  ２
2006320498.tif 000002
【特許請求の範囲】
【請求項１】
実験台などの天板下に収まる高さでワゴン天板を備え、内部がタワー形のパソコン本体を収容できる大きさを有するワゴンにおいて、そのワゴンのフレームが平面略矩形状をなし、かつ、少なくとも底板とキャスタと天板支持フレームを備えたワゴンフレームに、左右の側面板及び前後面板の少なくとも一つを着脱自在に取付けたことを特徴とするワゴン。
【請求項２】
ワゴンフレームに着脱自在に設けるのは左側又は右側の側面板と後面板である請求項１のワゴン。
【請求項３】
側面板と後面板は天板支持フレームに着脱自在に架装した請求項１又は２のワゴン。
【請求項４】
側面板と後面板は、その上部辺とワゴン天板の下面との間、又は、天板支持フレームの上部との間に、ケーブル等を挿通させることが出来る間隙が、側面板や後面板の全長乃至一部に形成されている請求項１〜３のいずれかのワゴン。
【請求項５】
底板には、平行なスリットが形成され、該底板上に載置されるパソコン本体の固定用の紐帯乃至ベルトを、前記スリットに係止させて設ける請求項１〜４のいずれかのワゴン。
【発明の詳細な説明】
【技術分野】
【０００１】
本発明はデスクや実験台などの天板下に配置して用いるワゴンに関し、具体的にはパーソナルコンピュータ（以下、パソコンという）などの電子機器のケーブルなどを結線したまま出入れできる構造を備えたワゴンに関する。
【背景技術】
【０００２】
従来から、デスクやテーブル、或は、実験台などの天板下に配置して使用するワゴンは、特許文献１，２などにより様々な形態，構造を備えたものが提案され、実用にも供されているが、公知のワゴンにおいてパソコンの本体を搭載できるワゴンでは、パソコン本体を搭載する際、当該パソコン本体に結線されたケーブル類を外さなければ、結線されたままのケーブルが邪魔になって搭載できなかったり、搭載できてもケーブルがワゴンの移動を阻害するなどの問題がある。
【０００３】
また、従来のワゴンでは、パソコンに限られず、機器類をワゴン内に載せたり下したりする作業が行いにくく、また、搭載機器に対するケーブルや配管などの脱着作業も行いにくいという問題がある。更には、ワゴン内に収納している結線したパソコンをワゴンの天板上に移動させて使用する場合、パソコンの結線を一旦解除しなければパソコン本体をワゴン内部からワゴン天板上へは移動できないという問題もあった。
【特許文献１】特開平１１−４６８６９号公報
【特許文献２】特開平１０−５７１５７号公報
【発明の開示】
【発明が解決しようとする課題】
【０００４】
本発明は、上記のような公知の天板下用のワゴンの問題点に鑑み、ワゴンの内部又は内側に、機器類などを載せたり下したり、或は、収容したり取出したりする作業を効率よく行うことを可能であることは勿論、ワゴン内部に収納されていたパソコン本体をワゴン天板上に移動させるときもその結線を解かずに移動できるようにしたワゴンを提供することを、その課題とする。
【課題を解決するための手段】
【０００５】
上記課題を解決することを目的としてなされた本発明ワゴンの構成は、実験台などの天板下に収まる高さでワゴン天板を備え、内部がタワー形のパソコン本体を収容できる大きさを有するワゴンにおいて、そのワゴンのフレームが平面略矩形状をなし、かつ、少なくとも底板とキャスタと天板支持フレームを備えたワゴンフレームに、左右の側面板及び前後面板の少なくとも一つを着脱自在に取付けたことを特徴とするものである。
【０００６】
本発明ワゴンにおいて、着脱自在に設けるのは左又は右側の側面板と後面板であってもよい。また、ワゴンフレームに着脱自在に取付けられる側面板と後面板は、その上部辺とワゴン天板の下面の間にケーブル等を挿通させることが出来る間隙が、側面板や後面板の全長に亘り或は一部に形成されていることが望ましい。更に、ワゴンフレームが備えている底板には、平行なスリット又は溝（以下、単にスリットという）が形成され、底板上に載置されるパソコン本体の固定用の紐帯乃至ベルトを、前記スリットに係止させて設けることができる。
【発明の効果】
【０００７】
本発明ワゴンは、側面板や後面板がワゴンフレームに着脱自在に設けた構成を備えていることにより、例えばワゴン内部に収納していた結線されたパソコンをワゴン天板上に移動させて使用するとき、ワゴンフレームから側面板又は後面板を取り外せば、結線されたままワゴン天板上に移動させることができるので、いちいち結線を解かないとパソコンの移動ができないという従来の問題点を解消できる。
【発明を実施するための最良の形態】
【０００８】
次に、本発明ワゴンの実施の形態例について、図を参照して説明する。
図１は本発明ワゴンの一例の斜視図、図２は図１のワゴンを分解した状態での構成部材を説明するための斜視図、図３は図１，図２の本発明ワゴンの棚板を外してパソコン本体をワゴン内部に搭載し天板上にモニタやマウス等を配置した使用状態の一例の斜視図、図４は図１のワゴンを実験台の天板下に配置した例の正面図、図５は図４のＡ−Ａ矢視拡大図である。
【０００９】
図１のワゴンの構成を分解して示した図２において、１は本発明ワゴンの一例におけるワゴンフレームで、図の例では、角パイプ材やアングル材や棒材などの部材によって平面から見て矩形状の箱枠状に形成されている。ワゴンフレーム１において、1aは四隅に４本の支柱部材1bを立設姿勢で具備した平面矩形状のベースフレーム、1cは前記４本の支柱部材1bの上端部間に架設した形態で形成した上部フレームである。
【００１０】
本発明ワゴンにおいて、ワゴンフレーム１は上記形態のものに限られる訳ではない。例えば、平面矩形状のベースフレーム1aに、図示しないが、正面から見て略門型をなすように形成した支柱フレームを、ベースフレーム1aの左右側、又は、前後側に設けた形態のワゴンフレーム１、或は、支柱部材と上部フレーム部材を平面コ字状に形成したワゴンフレーム１であってもよい。このことから、本発明ワゴンにおける支柱部材1bと上部フレーム1cは、ベースフレーム1aの上方に、後述するワゴン天板を載架支持する天板支持フレームとして機能するものであれば足りる。なお、前記門型の支柱フレームがベースフレーム1aの前，後部（図２の左右側）に設けられる場合、門型の当該支柱フレームに代えてパネル状の支柱フレームを使用することもでき、この場合のパネル状フレームが天板支持フレームとして機能する。図において、1dはベースフレーム1aの下面四隅に設けたキャスタである。
【００１１】
２は、上記のワゴンフレーム１におけるベースフレーム1aに、例えば、載架して設けた底板である。この底板２には、その長さ方向（ワゴンの前後方向）に沿って当該底板２の左右側部に、２本のスリット2a，2bが形成されている。２本のスリット2a，2bは、この底板２の上に載置されるパソコン本体などの機器類の固定ベルト（後述する）の末端部を係止するための構造で、長いスリット状に形成したのは、底板２の上に設置するパソコン本体等の機器類の底板２の前後方向での位置を任意に選択できるようにするためである。
【００１２】
３は、４本の支柱部材1bにおいて、ワゴンフレーム１の手前と後方に位置した左右２本の支柱部材1b，1bの対向面に設けた棚支持用の爪部材（以下、支持部材３という）であって、各支柱部材1bの高さ方向において位置可変に設けられており、ワゴンの内部に底板２と同形状の棚板４を設置する際に使用するものである。なお、本発明ワゴンにおいては、棚板４は常に設置されるものではなく、取外しておくこともあれば、設けないこともある。また、図２に示した棚板４では底板２と同じ位置にスリット4a，4bが形成されている。
【００１３】
5a，5bは、ベースフレーム1aの前後における後方（図２の左側）の２本の支柱部材1b，1bの対向面（支持部材３の設置面）の上，下部に設けた突起状の係止部材で、後述する後面パネルを着脱自在に支持するための部材である。
【００１４】
6a，6bは、ベースフレーム1aの左右側における支柱部材1b，1bの対向面の上，下部に、前記係止部材5a，5bと同じ趣旨でそれぞれに設けた係止部材で、後述する左，右側面パネルを着脱自在に支持するためのものである。
【００１５】
７は、ベースフレーム1aの後方の２本の支柱部材1b，1bにおける上，下の係止部材5a，5bに着脱自在に装着される後面パネルで、このパネル７における内面の左右側の上下部には、前記係止部材5a，5bに係止される切欠を下向きに形成した係止片7a，7bが設けられている。
【００１６】
８，９は、前記ベースフレーム1aの左右側における２本の支柱部材1b，1bに設けた上，下の係止部材6a，6bに着脱自在に装着される左，右の側面パネルで、これらのパネル８，９の内面左右側の上下部には、前記係止部材6a，6bに、それぞれ係止される切欠を下向きに形成した係止片8a，8b、同9a，9bが設けられている。
【００１７】
上述した、後面パネル７、左右側面パネル８，９は、その高さ、又は、装着時の各パネル７〜９の上辺が、ワゴンフレーム１における上部フレーム1cの構成部材の下辺よりも低位に位置して、ワゴンの後面と左右側面の上部に３箇所のスリット状の間隙Ｓを形成できるように形成されている。これら３箇所の間隙Ｓは、配線，チューブ等の挿通用間隙として機能する。
【００１８】
10はワゴンフレーム１において、前方（図２の右側）の支柱部材1b，1bに固定的に取付けられる前面パネルで、該パネル10の外面上部には、ワゴンを移動などさせるためのハンドル10aが設けられている。なお、10bはこのパネル10の上端部である。本発明ワゴンにおいて前面パネル10をワゴンフレーム１に着脱可能に設けるかどうかは任意である。
【００１９】
上記のように各面のパネル７〜10を備えたワゴンフレーム１には、天板11が、ここでは上部フレーム1cの上面に載架固定して設けられている。この天板11も、上部フレーム1cに対して着脱可能に設けることができる。また、天板11の適宜位置にワゴン内部に通じる穴や切欠部を設けることもある。穴や切欠部は、配線等を挿通させるためのもので、蓋付きとしたり開放のままとするなど任意の設置態様がある。
【００２０】
図２において、12は底板２のスリット2a，2bに末端部が係止される長さ可変に形成した２本を一組とする固定ベルトで、底板２や棚板４に載置されるパソコン等の機器類をそれが載置された底板２や棚板４にスリット2a，2b、同4a，4bにおいて固定し、転倒や脱落などを防止するための部材である。また、13a，13bは、ワゴンフレーム１において、左右側に位置する支柱部材1b，1bの上，下部に架設した落下防止バーである。
【００２１】
図２により構成部材について説明した本発明ワゴンの一例は、組立れられると図１に斜視図で示すような形態のワゴンＷに形成され、図４，図５に例示したような形態で、ここでは実験台LDの天板Ｔに出入れ自在に配置して使用される。即ち、図１のワゴンＷは、図４の実験台LD、或は、図示しないデスクやテーブルなどの天板下に配置して、公知のワゴンと同様の使い方をするが、本発明ワゴンは、特に、後面と左右側面のパネル７〜９がワゴンフレーム１に対して着脱自在であることにより、前記各パネル７〜９と上部フレーム1cの間にスリット状の間隙Ｓが形成され、そこから配線やチューブ等の挿通ができること、並びに、ハンドル10aを設けた前面パネル10を、その上端部10bが実験台LDの天板Ｔの手前側下面に設けたビームＢの下面より高く位置するように形成し、ワゴンＷが天板Ｔの下にもぐり込めないようにしたことによって、ワゴンＷを実験台LDの天板Ｔの下に配置して使用するとき、次のような特有の作用効果を奏する。この点につき、図３〜図５を参照して説明する。
【００２２】
即ち、図４，図５に示した実験台LDの天板Ｔの上に一例として高速液体クロマトグラフィLC（以下、単にLCという）が設置されていて、当該LCの制御用に予備のパソコンPCを配置したいとき、当該予備パソコンPCを、図３に示すようにワゴンＷの底板２の上に載置して固定ベルト12により固定し、前記LCと当該パソコンPCとを配線などWiにより結線する。このパソコンPCの載置作業、配線などWiの結線作業は、ワゴンＷの後面並びに左右側面の各パネル７〜９がワゴンフレーム１から取外しできることにより、パネルが外れない公知ワゴンに比べ、格段に良好な作業性、並びに、作業効率のよさを以て為すことができる。なお、図４，図５において、Ｌは実験台LDの左右の脚部材、Caは天板Ｔの上に配置した棚である。
【００２３】
本発明ワゴンＷでは、結線されたLCとパソコンPCの間で結ばれた配線や配管などの結線ラインは、各面のパネル７〜９と上部フレーム1cの間に形成された３箇所の間隙Ｓにおける望ましい間隙Ｓの間から当該ワゴンＷの内部と外部を繋ぐので、配線などのラインを体裁よく、また、混乱することなく配置，処理することができる。また、天板Ｔの下から引出したワゴンＷは、その配置の向きや、天板11の上に配置するパソコンPCのレイアウトの自由度も高い。
【００２４】
そして、前記ワゴンＷの内部に固定している予備パソコンPCを当該ワゴンＷの天板11の上に移動させて使用する場合、このワゴンＷを実験台LDの天板Ｔの下からハンドル10aを持って引き出し、所要箇所のパネル７〜９の少なくともいずれかを外せば、配線などWiを結線したまま当該パソコンPCを天板11の上に移動させ、このワゴンＷをパソコンテーブルとして直ちに使用できるというメリットが得られる。また、ワゴンＷは、その前面パネル10の高さ、即ち上端部10bの位置が、ワゴンＷを天板Ｔの下にもぐり込ませない高さに形成されているので、天板Ｔの下に整然と収めることができて、出入れ作業性が良好であって見映えもよい。しかも、このワゴンＷの内部に置かれたパソコンPCは固定ベルト12で固定されているので、ワゴン出入れ時などの振動や衝撃などによって転倒したり滑動することもない。
【００２５】
図３は、パソコンPCをワゴンＷの底板２の上に固定したまま、本発明ワゴンＷを実験台LDの天板Ｔの下から引出し、ワゴン天板11をパソコンテーブルとして使用している例の斜視図であり、図３においてLdは液晶モニタ、Kbはキーボード、Maはマウスである。また、本発明ワゴンは底板２や棚板４に落下防止バー13a〜14bが付属していることにより、通常の物品収納ワゴンとしても使用でき、その場合収納物品が底板２や棚板４からこぼれ落ちたり落下することがない。
【産業上の利用可能性】
【００２６】
本発明は以上の通りであって、実験台やテーブル等の天板下に配置して使用するワゴンを、平面略矩形状をなし、少なくとも底板とキャスタを備えたワゴンフレームに左右の側面板及び前後面板の少なくとも一つを着脱自在に取付けた構造にしたことにより、ワゴンの内部又は内側に、機器類などを載せたり下したり、或は、収容したり取出したりする作業を効率よく行うことを可能であり、また、ワゴン内部に収納されていたパソコン本体などの機器をワゴン天板上に移動させるときもその結線を解かずに移動できるという効果が得られ、従って、天板の下に配置して使用するワゴンとしてきわめて有用である。
【図面の簡単な説明】
【００２７】
【図１】本発明ワゴンの一例の斜視図。
【図２】図１のワゴンを分解した状態での構成部材を説明するための斜視図。
【図３】図１，図２の本発明ワゴンの棚板を外してパソコン本体をワゴン内部に搭載し天板上にモニタやマウス等を配置した使用状態の一例の斜視図。
【図４】図１のワゴンを実験台の天板下に配置した例の正面図。
【図５】図４のＡ−Ａ矢視拡大図。
【符号の説明】
【００２８】
１                ワゴンフレーム
２                底板
３                棚板の支持部材
４                棚板
5a，5b，6a，6b    係止部材
７                前面パネル
８，９            側面パネル
10                後面パネル
11                天板
12                固定ベルト
【図１】
2006320498.tif 000003
【図２】
2006320498.tif 000004
【図３】
2006320498.tif 000005
【図４】
2006320498.tif 000006
【図５】
2006320498.tif 000007